(57)【特許請求の範囲】
【請求項１】
制御基板を収容する基板ケースを備えた遊技機であって、
前記基板ケースを構成する基板ケース構成体と、
箔状アンテナを介して外部機器と無線通信を行う無線通信部を有し一方の面が前記基板ケース構成体に接着され他方の面が前記制御基板に接着され前記基板ケース構成体と前記制御基板とが引き離されると前記箔状アンテナが切断される封印シールと、を備え、
前記制御基板が前記基板ケースに収容された状態にあっては前記封印シールに対し外部から接触不能に構成されていることを特徴とする遊技機。
【請求項２】
前記基板ケース構成体が透明な樹脂素材で構成されている、請求項１に記載の遊技機。
【請求項３】
前記箔状アンテナは、前記基板ケース構成体又は前記制御基板に強く接着される強接着区域と弱く接着される弱接着区域とを有し、前記基板ケース構成体と前記制御基板とが引き離されると前記強接着区域と前記弱接着区域との間に生じる剪断力により切断される、請求項１又は２記載の遊技機。
【請求項４】
前記箔状アンテナの前記強接着区域は前記弱接着区域に比べて接着力の強い接着剤により接着されている、請求項３に記載の遊技機。
【請求項５】
前記箔状アンテナの前記強接着区域は前記基板ケース構成体又は前記メイン制御基板に接着されているが前記弱接着区域は接着されていない、請求項３に記載の遊技機。
【請求項６】
前記箔状アンテナと接着される前記基板ケース構成体又は前記制御基板の接着面に複数の凸部が形成され、前記箔状アンテナのうち前記凸部と接着する区域が前記強接着区域となり前記凸部と接着しない区域が前記弱接着区域となる、請求項３に記載の遊技機。
【請求項７】
前記基板ケース構成体は、前記制御基板の実装面と略合致し該制御基板のコネクタを外部に露出させるコネクタ用窓部を有する構成体縁部と、該構成体縁部から立ち上がるように延設され前記制御基板の実装面上の電子部品を収容する空間を形成する構成体底面部と、を備え、
前記封印シールは、前記構成体縁部のうち前記コネクタ用窓の近傍に接着されている、請求項１〜６のいずれかに記載の遊技機。
【発明の詳細な説明】
【技術分野】
【０００１】
本発明は、遊技機に関する。
【背景技術】
【０００２】
従来より、遊技機では、メイン制御基板に搭載したＣＰＵがＲＯＭに記録されたプログラムに基づいて種々の電子制御を行っている。このメイン制御基板のＲＯＭがいわゆる不正ＲＯＭに交換されると、遊技機として検査をパスしたときとは異なる遊技が行われることになる。このような不正を防止するために、特許文献１では、上蓋部と下蓋部とからなりメイン制御基板を収容する基板ボックスにおいて、ＩＣタグを上蓋部に設置し、このＩＣタグと無線通信を行うためのコイル状のアンテナを主制御基板に設置し、上蓋部が開放されてアンテナとＩＣタグの距離が約５ｍｍを超えると通信不能になるようにしている。
【特許文献１】特開２００４−６５８０１
【発明の開示】
【発明が解決しようとする課題】
【０００３】
しかしながら、特許文献１では、基板ボックスの上蓋部が一旦開放されたあと再び閉鎖された場合には開放された痕跡が残らないため、不正がなされたとしても気がつかないおそれがあった。
本発明は、上記例示した課題を解決するべく不正がなされたとしても後から容易に発見することができる遊技機を提供することを目的とする。
【課題を解決するための手段】
【０００４】
本発明は、上述の目的を達成するべく、
制御基板を収容する基板ケースを備えた遊技機であって、
前記基板ケースを構成する基板ケース構成体と、
箔状アンテナを介して外部機器と無線通信を行う無線通信部を有し一方の面が前記基板ケース構成体に接着され他方の面が前記制御基板に接着され前記基板ケース構成体と前記制御基板とが引き離されると前記箔状アンテナが切断される封印シールと、を備え、
前記制御基板が前記基板ケースに収容された状態にあっては前記封印シールに対し外部から接触不能に構成されていることを特徴とする。
また、前記基板ケース構成体が透明な樹脂素材で構成されていることとしてもよい。
また、前記箔状アンテナは、前記基板ケース構成体又は前記制御基板に強く接着される強接着区域と弱く接着される弱接着区域とを有し、前記基板ケース構成体と前記制御基板とが引き離されると前記強接着区域と前記弱接着区域との間に生じる剪断力により切断されることとしてもよい。
また、前記箔状アンテナの前記強接着区域は前記弱接着区域に比べて接着力の強い接着剤により接着されていることとしてもよい。
また、前記箔状アンテナの前記強接着区域は前記基板ケース構成体又は前記メイン制御基板に接着されているが前記弱接着区域は接着されていないこととしてもよい。
また、前記箔状アンテナと接着される前記基板ケース構成体又は前記制御基板の接着面に複数の凸部が形成され、前記箔状アンテナのうち前記凸部と接着する区域が前記強接着区域となり前記凸部と接着しない区域が前記弱接着区域となることとしてもよい。
また、前記基板ケース構成体は、前記制御基板の実装面と略合致し該制御基板のコネクタを外部に露出させるコネクタ用窓部を有する構成体縁部と、該構成体縁部から立ち上がるように延設され前記制御基板の実装面上の電子部品を収容する空間を形成する構成体底面部と、を備え、
前記封印シールは、前記構成体縁部のうち前記コネクタ用窓の近傍に接着されていることとしてもよい。
【発明の効果】
【０００５】
本発明によれば、不正がなされたとしても後から容易に発見することができる。
【発明を実施するための最良の形態】
【０００６】
手段１．制御基板を収容する基板ケースを備えた遊技機であって、
前記基板ケースを構成する基板ケース構成体と、
箔状アンテナを介して外部機器と無線通信を行う無線通信部を有し一方の面が前記基板ケース構成体に接着され他方の面が前記制御基板に接着され前記基板ケース構成体と前記制御基板とが引き離されると前記箔状アンテナが切断される封印シールと、
を備えた遊技機。
【０００７】
この遊技機において、制御基板に不正を働こうとすれば基板ケース構成体と制御基板とを引き離すことになるが、その場合には封印シールに設けられた箔状アンテナが切断されるため、無線通信部は外部機器と無線通信を行うことができなくなる。したがって、検査担当者は外部機器と封印シールに設けられた無線通信部との間で無線通信が不能かどうかを検査することにより、不正行為がなされたか否かを後から容易に判別することができる。
【０００８】
手段２．前記基板ケース構成体と前記制御基板とが引き離されると少なくとも前記箔状アンテナと前記無線通信部との接続部分近傍が切断される、手段１に記載の遊技機。こうすれば、切断後に残った箔状アンテナを介して無線通信部が外部機器と無線通信を行うことを確実に阻止できるため、遊技機に不正行為がなされたか否かを精度よく判別することができる。
【０００９】
手段３．前記箔状アンテナは多重うず巻き形に形成されたものであり、前記基板ケース構成体と前記制御基板とが引き離されると前記箔状アンテナの各うず巻きにつき少なくとも１箇所が切断される、手段１又は２に記載の遊技機。こうすれば、基板ケース構成体と制御基板とを引き離したときに何らかの事情により箔状アンテナの多重うず巻きのうち切断されないものがあったとしても、すべてのうず巻きが切断されない可能性は小さいため、確実に無線通信部が外部機器との無線通信を行うことができないようにすることができる。
【００１０】
手段４．前記無線通信部は、外部機器からの呼出信号に対して該外部機器へ識別情報を含む応答信号を無線通信する、手段１〜３のいずれかに記載の遊技機。こうすれば、無線通信部を有する封印シールが偽造されたとしても外部機器への応答信号に含まれる識別情報が誤っていれば偽造されたことを容易に発見することができる。
【００１１】
手段５．前記箔状アンテナは、前記基板ケース構成体又は前記制御基板に強く接着される強接着区域と弱く接着される弱接着区域とを有し、前記基板ケース構成体と前記制御基板とが引き離されると前記強接着区域と前記弱接着区域との間に生じる剪断力により切断される、手段１〜４のいずれかに記載の遊技機。こうすれば、基板ケース構成体と制御基板とが引き離されたときに箔状アンテナが切断されるようにする構成を比較的簡単に実現できる。
【００１２】
手段６．前記箔状アンテナの前記強接着区域は前記弱接着区域に比べて接着力の強い接着剤により接着されている、手段５に記載の遊技機。こうすれば、強弱２種類の接着区域を強弱２種類の接着剤により容易に実現することができる。
【００１３】
手段７．前記箔状アンテナの前記強接着区域は前記基板ケース構成体又は前記メイン制御基板に接着されているが前記弱接着区域は接着されていない、手段５に記載の遊技機。こうすれば、弱接着区域は接着されていない区域（非接着区域）とするだけでよく、強弱２種類の接着区域を一層簡単に実現することができる。
【００１４】
手段８．前記箔状アンテナと接着される前記基板ケース構成体又は前記制御基板の接着面に複数の凸部が形成され、前記箔状アンテナのうち前記凸部と接着する区域が前記強接着区域となり前記凸部と接着しない区域が前記弱接着区域となる、手段７に記載の遊技機。こうすれば、箔状アンテナと接着される接着面に凸部を形成するだけで強弱２種類の接着区域を実現することができる。
【００１５】
手段９．前記箔状アンテナは、前記外部機器からの磁界を受けて電磁誘導により発生する電流を前記無線通信部に供給する、手段１〜８のいずれかに記載の遊技機。こうすれば、箔状アンテナが切断されると無線通信部は無線通信が不能になるばかりか電流も供給されなくなる。
【００１６】
手段１０．前記箔状アンテナは、前記外部機器からの電波を受けて共振により発生する電流を前記無線通信部に供給する、手段１〜８のいずれかに記載の遊技機。この場合も、箔状アンテナが切断されると無線通信部は無線通信が不能になるばかりか電流も供給されなくなる。
【００１７】
手段１１．前記基板ケース構成体は、前記制御基板の実装面と略合致し該制御基板のコネクタを外部に露出させるコネクタ用窓部を有する構成体縁部と、該構成体縁部から立ち上がるように延設され前記制御基板の実装面上の電子部品を収容する空間を形成する構成体底面部と、を備え、前記封印シールは、前記構成体縁部のうち前記コネクタ用窓の近傍に接着されている、手段１〜１０のいずれかに記載の遊技機。基板ケース構成体のうちコネクタ用窓の近傍は制御基板と略合致するように形成されていることから、ここに封印シールを貼り付けるようにすれば、別途、封印シールを貼り付けるための箇所を作る必要がない。
【００１８】
手段１２．前記基板ケース構成体のうち前記封印シールと接着される面及び前記制御基板のうち前記封印シールと接着される面は粗化されている、手段１〜１１のいずれかに記載の遊技機。こうすれば、基板ケース構成体と封印シールとの接着力や制御基板と封印シールとの接着力が強くなるから、制御基板の交換等の不正行為が一層やりにくくなる。
【００１９】
手段１３．前記基板ケース構成体、前記封印シール及び前記制御基板は、固有の識別情報が３者を貫くようにしてマーキングされている、手段１〜１２のいずれかに記載の遊技機。こうすれば、正規の封印シール又は制御基板を偽造品に交換するという不正行為がなされたとすると、もともとマーキングされていた固有の識別情報が読み取れなくなるため、そのような不正行為を容易に発見することができる。なお、固有の識別情報としては、例えば製品番号や製品名などが挙げられ、マーキングとしては、例えばレーザマーキングなどが挙げられる。
【００２０】
手段１４．前記遊技機はパチンコ機である、手段１〜１３のいずれかに記載の遊技機。こうすれば、パチンコ機において、手段１〜１３の作用効果が得られる。
【００２１】
手段１５．前記遊技機はスロットマシンである、手段１〜１３のいずれかに記載の遊技機。こうすれば、スロットマシンにおいて、手段１〜１３の作用効果が得られる。
【００２２】
手段１６．前記遊技機はパチンコ機とスロットマシンとを融合させてなる融合機である、手段１〜１３のいずれかの遊技機。こうすれば、パチンコ機とスロットマシンとを融合させてなる融合機において、手段１〜１３の作用効果が得られる。ここで、融合機としては、例えば遊技媒体としてメダルの代わりに遊技球を用いるスロットマシンなどが挙げられる。
【００２３】
なお、本発明は上述したように遊技機として捉えることもできるが、基板ケースとして捉えることもできる。即ち、「基板ケースを構成する基板ケース構成体と、箔状アンテナを介して外部機器と無線通信を行う無線通信部を有し一方の面が前記基板ケース構成体に接着され他方の面が前記制御基板に接着され前記基板ケース構成体と前記制御基板とが引き離されると前記箔状アンテナが切断される封印シールと、を備えた基板ケース。」として捉えることもできる。この基板ケースでは、制御基板に不正を働こうとすれば基板ケース構成体と制御基板とを引き離すことになるが、その場合には封印シールに設けられた箔状アンテナが切断されるため、無線通信部は外部機器と無線通信を行うことができなくなる。したがって、検査担当者は外部機器と封印シールに設けられた無線通信部との間で無線通信が不能かどうかを検査することにより不正行為がなされたか否かを容易に判別することができる。この基板ケースにつき、手段２〜１３と同様の限定を加えてもよい。その場合も手段２〜１３と同様の効果が得られる。
【００２４】
次に、本発明を実施するための最良の実施形態を説明する。図１は本実施形態のパチンコ機２０を裏面から見た外観図であり、図２はメイン制御基板ケース３０を一方から見たときの斜視図（円内は部分拡大図）、図３はメイン制御基板ケース３０の組立斜視図、図４は封印シール７０の説明図で、（ａ）は斜視図、（ｂ）は（ａ）のＢ−Ｂ断面図である。また、図５は図２のＡ−Ａ断面図（円内は部分拡大正面図）、図６はＩＣタグ７１とＩＣタグスキャナ９０の概略構成を表すブロック図である。
【００２５】
パチンコ機２０は、図１に示すように、外枠２にヒンジ３を介して開閉自在に取り付けられた前枠４と、外枠２の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、外枠２の裏面中央に開閉自在に取り付けられ特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどを内包する大型カバー１４と、遊技盤の各種入賞口への遊技球の入賞に応じて各種制御基板へ制御信号を出力するメイン制御基板６０を収容するメイン制御基板ケース３０と、遊技球を遊技盤へ発射させるステップモータ１６とを備える。
【００２６】
メイン制御基板ケース３０は、ケース蓋体５０の内面側にメイン制御基板６０をネジ又は接着剤で固定し、このケース蓋体５０をケース本体４０に長辺方向に沿ってスライドさせて一体化したあと、ケース本体４０に設けられた封止用ブロック４６とケース蓋体５０に設けられた封止用スリット５６とを整合させた状態でＪ字金具８０により両者を不可逆的に封止したものである。このように、メイン制御基板ケース３０は、ケース本体４０とケース蓋体５０とによって囲まれる収容空間にメイン制御基板６０を収容したものである。
【００２７】
ケース本体４０は、透明なポリカーボネート樹脂を成形したものであり、図３に示すように、矩形状の本体底面部４１と、この本体底面部４１の各長辺に沿って立設した一対の本体長壁部４２，４２とを備えている。両本体長壁部４２，４２の内側には、ケース蓋体５０をスライドさせるためのレール溝４３，４３が長辺に沿って形成されている。また、一方の本体長壁部４２の外面には、パチンコ機２０の裏面にメイン制御基板ケース３０を引っかけるための引っ掛け部４４，４４が設けられている。また、ケース本体４０には、レール溝４３，４３をスライドしていくケース蓋体５０をレール溝４３，４３の終端にてストップさせるストッパ壁４３ａ，４３ａが形成されている。これら二つのストッパ壁４３ａ，４３ａの間には、５つの封止用ブロック４６，４６，…が設けられている。封止用ブロック４６は、内部に空洞が形成され、その空洞にはＪ字金具８０（図２参照）の長足部８１が一旦挿入されるとＪ字金具８０を抜き取ろうとしても長足部８１に形成されたギザギザの突起８２と係合して抜き取り方向への移動を阻止するフック（図示せず）が形成されている。
【００２８】
ケース蓋体５０は、本発明の基板ケース構成体に相当する部材で、図２及び図３に示すように、透明なポリカーボネート樹脂を成形したものであり、矩形状の蓋体底面部５１と、この蓋体底面部５１の各長辺に沿って立設した一対の蓋体長壁部５２，５２とを備えている。このうち、蓋体底面部５１には、メイン制御基板６０の熱を外部へ放出するための多数の放熱孔５１ａが穿設されている。また、両蓋体長壁部５２，５２には、ケース本体４０のレール溝４３，４３に嵌め込んでスライドさせるための鍔部５３，５３（図２及び図３には片側のみ示す）が形成されている。このうち一方の鍔部５３には、メイン制御基板６０のコネクタ６４を露出させるための複数のコネクタ用窓５４が設けられている。また、鍔部５３のコネクタ用窓５４の周辺面には封印シール７０が接着されるシール接着箇所が設けられ、このシール接着箇所には上下方向に延びる複数の凸部５３ａが形成されている。なお、凸部５３ａの表面は、接着性が良くなるように粗化されている。また、ケース蓋体５０の一方の短辺には５つの封止用スリット５６，５６，…が設けられている。この封止用スリット５６の内部には、Ｊ字金具８０を封止用スリット５６に挿入するとＪ字金具８０の鈎状に形成された引掛部８３が引っ掛かる架橋部（図示せず）が形成されている。なお、ケース蓋体５０の他方の短辺には図示しないが蓋体短壁部が設けられ、この結果、ケース蓋体５０は、蓋体底面部５１の四方が蓋体長壁部５２，５２と封止用スリット５６，５６，…と基体短壁部とよって囲まれている。
【００２９】
メイン制御基板６０は、プリント配線板６１（図２参照）のうちケース蓋体５０側の面（実装面）に種々の電子部品が実装されたものである。実装された電子部品には、図２に示すように、パチンコ機２０の全体の制御を司るＣＰＵ６２や各種プログラムが記録されたＲＯＭ６３などが含まれる。このメイン制御基板６０上には、ここに実装された種々の電子部品と外部の電子部品とを電気的に接続するための複数のコネクタ６４も搭載されている。また、メイン制御基板６０のプリント配線板６１のうち、封印シール７０が接着される箇所は接着性が良くなるように粗化されている。ＣＰＵ６２は、ＲＯＭ６３に記録されたプログラムにしたがって各種の処理を実行するものであり、例えば遊技者にとって有利な特別遊技状態（いわゆる大当たり）へ移行するか否かについてはＲＯＭ６３に記録された大当たり確率のテーブルを参照する。したがって、このＲＯＭ６３を大当たり確率が極めて高いテーブルをもつ不正ＲＯＭに交換すると、不当な賞球が払い出されることになる。なお、各電子部品はメイン制御基板６０の実装面の裏側にはんだで固定されている。
【００３０】
封印シール７０は、図４に示すように、金属箔（例えば銅箔、アルミ箔など）からなる多重うず巻き形に形成された箔状アンテナ７２を介して外部のＩＣタグスキャナ９０（図６参照）と無線通信を行うＩＣチップ７３（本発明の無線通信部）を備えたＩＣタグ７１と、このＩＣタグ７１のうち箔状アンテナ７２が設けられている面に形成された第１接着層７６と、ＩＣタグ７１のうち箔状アンテナ７２が設けられていない面に形成された第２接着層７７とを備えている。この封印シール７０は、図５に示すように、第１接着層７６がケース蓋体５０の鍔部５３に設けられた複数の凸部５３ａの表面に接着され、第２接着層７７がメイン制御基板６０の実装面側に接着されている。箔状アンテナ７２のうち、第１接着層７６を介して凸部５３ａの表面に接着している区域が接着区域７２ａ（強接着区域）であり、凸部５３ａと凸部５３ａの間に面している区域が非接着区域７２ｂ（弱接着区域）である。
【００３１】
また、封印シール７０を構成するＩＣタグ７１のＩＣチップ７３は、図６に示すように、数バイト〜数キロバイトの容量を持つメモリ７５と、このメモリ７５に対して読み書きを実行したり種々の演算を実行したりする処理実行部７４とを備えている。そして、ＩＣタグスキャナ９０がオペレータによって操作されてリーダ・ライタユニット９２がコイル状のアンテナ９１に電流を流すとこのアンテナ９１に磁界が発生し、その磁界がＩＣタグ７１の箔状アンテナ７２を通過すると電磁誘導により箔状アンテナ７２に電流が流れ、この電流によってＩＣチップ７３が起動される。このように、本実施形態のＩＣタグ７１はいわゆる電磁誘導方式を採用したものである。続いて、処理実行部７４がメモリ７５に予め記憶された固有の識別データ（例えばシリアル番号等）を読み出し、この識別データを箔状アンテナ７２を介してＩＣタグスキャナ９０へ送信する。ＩＣタグスキャナ９０は、アンテナ９１を介してＩＣタグ７１から識別データを受信すると、受信した識別データと予めこのメイン制御基板ケース３０に割り振った識別データとが一致するか否かを判定し、両者が一致したときは正常である旨を報知し、両者が一致しなかったとき（所定時間経ってもＩＣタグ７１から識別データを受信できなかった場合も含む）は不正行為がなされた可能性がある旨を報知する。
【００３２】
次に、メイン制御基板ケース３０の組立方法について説明する。図７は封印シール７０を接着する様子を表す斜視図である。まず、封印シール７０のうち箔状アンテナ７２が設けられている面に形成された第１接着層７６をケース蓋体０の鍔部５３に設けられている複数の凸部５３ａの表面に押しつけることにより、封印シール７０をケース蓋体５０に接着する。次に、ケース蓋体５０の内面側にメイン制御基板６０をネジ又は接着剤で固定する。すると、メイン制御基板６０のプリント配線板６１は封印シール７０の第２接着層７７と接着される。この結果、図５に示すように、封印シール７０のうち、箔状アンテナ７２が設けられている面は第１接着層７６を介してケース蓋体５０の凸部５３ａに接着され、箔状アンテナ７２が設けられていない面は全面が第２接着層７７を介してメイン制御基板６０に接着される。また、箔状アンテナ７２のうち、凸部５３ａに対向している面は第１接着層７６を介して接着されて接着区域７２ａとなり、凸部５３ａに対向していない面は非接着区域７２ｂとなる。その後、図３に示すように、メイン制御基板６０が固定されたケース蓋体５０を、ケース本体４０のレール溝４３，４３に沿ってスライドさせて一体化する。これにより、図２に示すように、各封止用ブロック４６と各封止用スリット５６とが整合した状態となる。そして最後に、Ｊ字金具８０を封止用スリット５６に差し込む。すると、Ｊ字金具８０の鍵状に形成された引掛部８３が封止用スリット５６内の図示しない架橋部に引っ掛かりつつ長足部８１の突起８２が封止用ブロック４６内の図示しないフックと抜き取り不能となるように係合する。この結果、封止用ブロック４６と封止用スリット５６とはＪ字金具８０により不可逆的に封止される。
【００３３】
次に、メイン制御基板ケース３０につき不正行為がなされたか否かの検査について説明する。検査担当者は、まず、封止用ブロック４６と封止用スリット５６との封止が不正に解除されていないかどうかを判定する。この封止を不正に解除した場合には、封止用スリット５６とケース蓋体５０との連結が切断された痕跡が残っているため、この痕跡の有無により封止が不正に解除されたか否かを判定することができる。続いて、封印シール７０による封印が不正に解除されていないかどうかを判定する。封印シール７０による封印を不正に解除すると、つまりケース蓋体５０とメイン制御基板６０とを不正に引き離すと、封印シール７０のＩＣタグ７１を構成する箔状アンテナ７２のうち、ケース蓋体５０の凸部５３ａに接着されている接着区域７２ａとケース蓋体５０に接着されていない非接着区域７２ｂとの間に剪断力が働く。すると、図８及び図９に示すように、非常に薄く形成されている箔状アンテナ７２はこの剪断力によって切断され、箔状アンテナ７２のうち非接着区域７２ｂは封印シール７０に残るが、接着区域７２ａはケース蓋体５０の凸部５３ａに残る。この結果、ＩＣタグ７１のＩＣチップ７３は、箔状アンテナ７２を介して電流の供給を受けることもデータの送受信をすることもできなくなる。このため、検査担当者がＩＣタグスキャナ９０を操作してこのＩＣタグ７１から識別データを取得しようとしても、ＩＣタグ７１からは識別データが応答されないため、ＩＣタグスキャナ９０は不正行為がなされた可能性がある旨を報知することになる。この報知内容によって検査担当者はメイン制御基板ケース３０に不正行為がなされたか否かを容易に知ることができる。
【００３４】
ここで、本実施形態の構成要素と本発明の構成要素との対応関係を明らかにする。本実施形態のケース蓋体５０が本発明の基板ケース構成体に相当し、鍔部５３が構成体縁部に相当し、蓋体底面部５１が構成体底面部に相当する。
【００３５】
以上詳述した本実施形態によれば、メイン制御基板６０に不正を働こうとすればケース蓋体５０とメイン制御基板６０とを引き離すことになるが、その場合には封印シール７０に設けられた箔状アンテナ７２が切断されるため、ＩＣタグ７１のＩＣチップ７３はＩＣタグスキャナ９０と無線通信を行うことができなくなる。したがって、検査担当者はＩＣタグスキャナ９０と封印シール７０に設けられたＩＣタグ７１との間で無線通信が不能かどうかを検査することによりそのパチンコ機２０のメイン制御基板６０に不正行為がなされたか否かを、後から容易に判別することができる。
【００３６】
また、ケース蓋体５０とメイン制御基板６０とが引き離されると箔状アンテナ７２とＩＣチップ７３との接続部分Ｐ（図２の円内参照）の近傍が切断されるため、切断後に残った箔状アンテナ７２を介してＩＣチップ７３がＩＣタグスキャナ９０と無線通信を行うことを確実に阻止でき、不正行為がなされたか否かを精度よく判別することができる。
【００３７】
更に、箔状アンテナ７２は多重うず巻き形に形成されたものであり、ケース蓋体５０とメイン制御基板６０とが引き離されると箔状アンテナ７２の各うず巻きにつき複数箇所が切断される。このため、ケース蓋体５０とメイン制御基板６０とを引き離したときに何らかの事情により箔状アンテナ７２の多重うず巻きのうち切断されないものがあったとしても、すべてのうず巻きが切断されない可能性は非常に小さい。したがって、確実にＩＣチップ７３がＩＣタグスキャナ９０と無線通信を行えないようにすることができる。
【００３８】
更にまた、ＩＣタグ７１のＩＣチップ７３はＩＣタグスキャナ９０からの呼出信号に対して固有の識別データを含む応答信号を無線通信するため、ＩＣタグ７１を有する封印シール７０が偽造されたとしても、ＩＣタグスキャナ９０への応答信号に含まれる識別データが誤っていれば偽造されたことを容易に発見することができる。
【００３９】
そして、箔状アンテナ７２はケース蓋体５０の凸部５３ａに接着される接着区域７２ａ（強接着区域）と接着されない非接着区域７２ｂ（弱接着区域）とを有するという簡単な構成でもって、ケース蓋体５０とメイン制御基板６０とが引き離されたときに多数に切断されるという作用効果を得ることができる。即ち、ケース蓋体５０とメイン制御基板６０とを引き離すと、箔状アンテナ７２の両区域７２ａ，７２ｂの間に剪断力が生じて容易に箔状アンテナ７２が切断される。
【００４０】
そしてまた、箔状アンテナ７２が切断されると、ＩＣタグ７１のＩＣチップ７３は無線通信が不能になるばかりか電流も供給されなくなるため、より確実に不正行為を発見することができる。
【００４１】
そして更に、封印シール７０はケース蓋体５０のうちメイン制御基板６０と略合致するように形成されている鍔部５３（コネクタ用窓５４の近傍部分）を利用して貼り付けてあるため、別途、封印シール７０を貼り付けるための箇所を作る必要がない。
【００４２】
そして更にまた、ケース蓋体５０のうち封印シール７０が接着される接着面及びメイン制御基板６０のうち封印シール７０が接着される凸部５３ａの表面が粗化されているため、ケース蓋体５０と封印シール７０との接着力やメイン制御基板６０と封印シール７０との接着力が強くなるから、メイン制御基板６０の交換等の不正行為が一層やりにくくなる。
【００４３】
なお、本発明の実施の形態は、上述した実施形態に何ら限定されるものではなく、本発明の技術的範囲に属する限り種々の形態を採り得ることはいうまでもない。
【００４４】
例えば、上述した実施形態では、本発明の遊技機の基板ケースの一例としてメイン制御基板ケース３０を示したが、例えば払出制御基板を収容する払出制御基板ケース、表示制御基板を収容する表示制御基板ケース、ランプ制御基板を収容するランプ制御基板ケース、又は音声制御基板を収容する音声制御基板ケースなどに本発明を適用してもよい。これらの場合も上述した実施形態と同様の作用効果が得られる。
【００４５】
また、上述した実施形態では、凸部５３ａを上下方向に延びる形状として箔状アンテナ７２の多重うず巻きを横断するようにしたが、特にこの形状に限定されるものではなく、例えば図１０に示すように凸部５３ａを左右方向に延びる形状として箔状アンテナ７２の多重うず巻きを横断するようにしてもよい。こうしても、上述した実施形態と同様の効果が得られる。あるいは、図示しないが、凸部５３ａを斜め方向に延びる形状としたり、多角形状又は略円形状としてアンテナ線に沿って並べたりしてもよい。
【００４６】
更に、上述した実施形態では、箔状アンテナ７２のうちケース蓋体５０の凸部５３ａにに接着されている区域を接着区域７２ａ（強接着区域）とし、凸部５３ａに接着されていない区域を非接着区域７２ｂ（弱接着区域）としたが、図１１（ａ）に示すように、ケース蓋体５０に凸部５３ａを形成する代わりに第１接着層７６を凸部５３ａと同様の形状となるように形成してもよい。こうすれば、箔状アンテナ７２のうち第１接着層７６の存在する部分が接着区域７２ａとなり、第１接着層７６の存在しない部分が非接着区域７２ｂとなる。この場合も、ケース蓋体５０とメイン制御基板６０とを引き離すと、両区域７２ａ，７２ｂの間に剪断力が働くため、図１１（ｂ）に示すように箔状アンテナ７２は切断される。したがって、上述した実施形態とほぼ同様の作用効果が得られる。
【００４７】
あるいは、図１２（ａ）に示すように、ケース蓋体５０に凸部５３ａを形成する代わりに強い接着力を持つ接着剤からなる第１接着層７６を凸部５３ａと同様の形状となるように形成し、それ以外の箇所に弱い接着力を持つ接着剤からなる補助接着層７８を形成してもよい。こうすれば、箔状アンテナ７２のうち第１接着層７６の存在する部分が強接着区域７２ａとなり、補助接着層７８の存在する部分が弱接着区域７２ｂとなる。この場合も、ケース蓋体５０とメイン制御基板６０とを引き離すと、両区域７２ａ，７２ｂの間に剪断力が働くため、図１２（ｂ）に示すように箔状アンテナ７２は切断される。したがって、上述した実施形態とほぼ同様の作用効果が得られる。
【００４８】
更にまた、上述した実施形態では、ＩＣタグ７１として電磁誘導方式のものを採用したが、マイクロ波方式のものを採用してもよい。マイクロ波方式では、箔状アンテナ７２は、ＩＣタグスキャナ９０からの電波を受けて共振により発生する電流をＩＣチップ７３に供給する。この場合も、箔状アンテナ７７２が切断されるとＩＣチップ７３は無線通信が不能になるばかりか電流も供給されなくなる。
【００４９】
そしてまた、上述した実施形態において、ケース蓋体５０と封印シール７０とメイン制御基板６０の３者を貫くようにしては固有識別情報（シリアル番号や製品名等）をレーザマーキングしておいてもよい。こうすれば、正規の封印シール７０やメイン制御基板６０を偽造品に交換するという不正行為がなされたとすると、もともとマーキングされていた固有識別情報が読み取れなくなるため、そのような不正行為を容易に発見することができる。
【００５０】
そして更に、上述した実施形態では、パチンコ機２０を例にとって説明したが、本発明が適用可能な遊技機はパチンコ機に限定されるものではなく、例えばスロットマシンや、パチンコ機とスロットマシンとを融合させた遊技機などにも適用することができるのは勿論である。
【図面の簡単な説明】
【００５１】
【図１】本実施形態のパチンコ機を裏面から見た外観図である。
【図２】メイン制御基板ケースを一方から見たときの斜視図（円内は部分拡大正面図）である。
【図３】メイン制御基板ケースの組立斜視図である。
【図４】封印シールの説明図で、（ａ）は斜視図、（ｂ）は（ａ）のＢ−Ｂ断面図である。
【図５】図２のＡ−Ａ断面図（円内は部分拡大図）である。
【図６】ＩＣタグとＩＣタグスキャナの概略構成を表すブロック図である。
【図７】封印シールを接着する様子を表す組立斜視図である。
【図８】箔状アンテナが切断されたときの様子を表す断面図である。
【図９】箔状アンテナが切断されたときの様子を表す斜視図である。
【図１０】別の凸部を持つメイン制御基板ケースの部分正面図である。
【図１１】別の封印シールの説明図であり、（ａ）は接着時の断面図、（ｂ）は切断時の断面図である。
【図１２】別の封印シールの説明図であり、（ａ）は接着時の断面図、（ｂ）は切断時の断面図である。
【符号の説明】
【００５２】
３…ヒンジ、４…前枠、６…タンク、８…遊技球払出装置、１０…タンクレール、１２…払出制御基板ケース、１４…大型カバー、１６…ステップモータ、２０…パチンコ機、３０…メイン制御基板ケース、４０…ケース本体、４１…本体底面部、４２…本体長壁部、４３…レール溝、４３ａ…ストッパ壁、４６…封止用ブロック、５０…ケース蓋体、５１…蓋体底面部、５１ａ…放熱孔、５２…蓋体長壁部、５３…鍔部、５３ａ…凸部、５４…コネクタ用窓、５６…封止用スリット、６０…メイン制御基板、６１…プリント配線板、６２…ＣＰＵ、６３…ＲＯＭ、６４…コネクタ、７０…封印シール、７１…ＩＣタグ、７２…箔状アンテナ、７３…ＩＣチップ、７４…処理実行部、７５…メモリ、７６…第１接着層、７７…第２接着層、８０…Ｊ字金具、８１…長足部、８２…突起、８３…引掛部、９０…ＩＣタグスキャナ、９１…アンテナ、９２…リーダ・ライタユニット。
【図１】
0004656086.tif 000002
【図２】
0004656086.tif 000003
【図３】
0004656086.tif 000004
【図４】
0004656086.tif 000005
【図５】
0004656086.tif 000006
【図６】
0004656086.tif 000007
【図７】
0004656086.tif 000008
【図８】
0004656086.tif 000009
【図９】
0004656086.tif 000010
【図１０】
0004656086.tif 000011
【図１１】
0004656086.tif 000012
【図１２】
0004656086.tif 000013